(57)【要約】【課題】口部のサイズの異なるペットボトルであってもノズル装置を簡単且つ確実に連結可能な携帯用局部洗浄器を提供する。【解決手段】ペットボトルＰの口部Ｐ１に、当該ペットボトルＰ内に貯留された貯留水Ｗを通水管Ｑ１を介して噴水するノズル装置Ｑを装着してなる携帯用局部洗浄器において、  前記口部Ｐ１に内挿可能であって、該口部Ｐ１を封止する拡径縮径可能な弾性体１と、前記弾性体を圧縮して拡径させる拡径手段２と、前記拡径手段２の軸部２１を上下方向に移動させる操作部３と、より構成したことを特徴とする。【選択図】図１
2008295843.tif 000002
【特許請求の範囲】
【請求項１】
ペットボトルの口部に、当該ペットボトル内に貯留された貯留水を通水管を介して噴水するノズル装置を装着してなる携帯用局部洗浄器において、
前記口部に内挿可能であって、該口部を封止する拡径縮径可能な弾性体と、
前記弾性体を圧縮して拡径させる拡径手段と、
前記拡径手段の軸部を上下方向に移動させる操作部と、より構成したことを特徴とする携帯用局部洗浄器。
【発明の詳細な説明】
【技術分野】
【０００１】
本発明は、用便後の局部を洗浄するための携帯用局部洗浄器に関し、詳しくは、ペットボトルを使用して上記局部を洗浄することを可能にした携帯用局部洗浄器に関する。
【背景技術】
【０００２】
用便後に局部の洗浄が可能なウォシュレット式便器は、一般家庭でも多く使用されているが、旅行先や公衆トイレ等には、前記ウォシュレット式便器が設置されていない場合が多く、また、地震等の災害時では、停電や給水の停止によって、ウォシュレット式便器であっても使用できないこともある。
【０００３】
そのため、近年では、トイレ内にウォシュレット式便器が無くても、用便後の局部を洗浄可能なものとして、携帯用局部洗浄器が開発されている。
【０００４】
このような携帯用局部洗浄器としては、例えば、洗浄水が貯留された持ち運び可能な貯留タンクと、この貯留タンク内の貯留水を外部にまで誘導する噴水管と、この噴水管の先端に設けられ、前記局部に向けて噴水可能なノズル部とを備え、乾電池等の電力によりポンプを駆動させて、前記貯留タンク内の洗浄水をノズル部から噴水させて、局部の洗浄を行う電動式の携帯用局部洗浄器があった（例えば、特許文献１参照。）。
【０００５】
また、前記貯留タンクを外部から手で押圧することで、内部の貯留水をノズル部から噴水させ、局部の洗浄を行う手動式の携帯用局部洗浄器も提案されている（例えば、特許文献２参照。）。
【０００６】
しかしながら、これらの携帯用局部洗浄器では、専用の貯留タンクと、これに付設された噴水管及びノズル部が一体化されたものを予め携帯して用意しておかなければ、これを使用することはできず、不便である。
【０００７】
一方、ペットボトルは、その中身が無くなれば、殆どが廃棄処分されるが、その廃棄される量が多いため、ゴミ問題の一つになっている。
【０００８】
そのため、本出願人等は、かかる課題を解決すべく、専用の貯留タンクを携帯する必要がなく、廃棄されるペットボトルを貯留タンクとして利用し、このペットボトルに連結可能な携帯用局部洗浄器を開発し、既に出願している（例えば、特許文献３参照。）。
【特許文献１】特開平７−２５５６３６号
【特許文献２】特開２００２−１４３０３２号
【特許文献３】特開２００６−３０５０６７号
【発明の開示】
【発明が解決しようとする課題】
【０００９】
この携帯用局部洗浄器によれば、廃棄されるペットボトルの再利用を図り、ゴミ問題をも軽減できると好評を得ているが、しかしこの携帯用局部洗浄器には、以下の問題があった。
【００１０】
すなわち、各メーカーから販売されている飲料物に使用されているペットボトルの口部の口径、高さ等は、同一ではなく、各メーカー毎に微妙にサイズが異なっているため、本出願人等が開発した前記携帯用局部洗浄器では、前記口部のサイズの異なるペットボトルをノズル装置に上手く連結できないという問題があった。
【００１１】
本発明は、かかる課題を解決することを目的とするもので、口部のサイズの異なるペットボトルであってもノズル装置を簡単且つ確実に連結可能な携帯用局部洗浄器を提供する。
【課題を解決するための手段】
【００１２】
上記目的を達成するため、
本発明に係る携帯用局部洗浄器は、ペットボトルの口部に、当該ペットボトル内に貯留された貯留水を通水管を介して噴水するノズル装置を装着してなる携帯用局部洗浄器において、前記口部に内挿可能であって、該口部を封止する拡径縮径可能な弾性体と、前記弾性体を圧縮して拡径させる拡径手段と、前記拡径手段の軸部を上下方向に移動させる操作部と、より構成したことを特徴とする。
【発明の効果】
【００１３】
本発明によれば、操作部を操作するだけで、ペットボトルの口部に内挿された弾性体が拡径して、前記口部を封止する構造にしているので、前記口部のサイズが異なるペットボトルであっても各々のペットボトルを前記ノズル装置に簡単且つ確実に連結できる。
【発明を実施するための最良の形態】
【００１４】
以下、本発明に係る携帯用局部洗浄器を図面とともに説明する。
【実施例１】
【００１５】
図１は、本発明に係る携帯用局部洗浄器Ａの一実施例を示した全体斜視図、図２は、図１の点線部分を拡大した要部の分解断面図である。
【００１６】
この携帯用局部洗浄器Ａは、ペットボトルＰの口部Ｐ１に、当該ペットボトルＰ内に貯留された貯留水Ｗを通水管Ｑ１を介して噴水するノズル装置Ｑを装着してなるものであって、前記口部Ｐ１に内挿可能であって、該口部Ｐ１を封止する拡径縮径可能な弾性体１と、この弾性体１を圧縮して拡径させる拡径手段２と、該拡径手段２の軸部２１を上下方向に移動させる操作部３と、より構成してなる。
【００１７】
以下、各部材について詳説する。
【００１８】
弾性体１は、ゴム、コルク、シリコン等の素材を筒状に形成して拡径縮径可能にすると共に、前記筒状の外径が、ペットボトルＰの口部Ｐ１に内挿可能にしてなり、この内挿された弾性体１が拡径手段２により圧縮されて、口部Ｐ１を封止する構造にしている。
【００１９】
具体的には、ノズル装置Ｑに内挿された中空状の軸部２１を、弾性体１に貫通させると共に、この軸部２１の下端に、弾性体１と略同径な座板部２２を固定し、該座板部２２とノズル装置Ｑの下端面Ｑ２によって、弾性体１を挟持している。
【００２０】
又、軸部２１の上端近傍には、操作部３の基端に貫通する連結軸２３を設け、該操作部３に連結している。
【００２１】
又、座板部２２には、軸部２１内に貯留水Ｗが通る通水管Ｑ１を貫通させると共に、この通水管Ｑ１に併設して、ペットボトルＰ内にのみ通気可能な逆支弁３１を設け、ペットボトルＰ内の貯留水Ｗを排水可能にしている。
【００２２】
なお、ペットボトルＰ内の貯留水Ｗが通水管Ｑ１を通じて噴水可能であれば、逆支弁３１に代えて、単なる通気穴を開設したものでも構わない。
【００２３】
又、拡径手段２は、本実施例で示したような所謂梃子方式の他、例えば、軸部２１を螺軸にしてネジ等を締め込んでいくネジ締め式等のような周知な機構を採用できる。
【００２４】
なお、ペットボトルＰには、様々な形状、容量のものがあるが、これら形状、容量には限定されず、前述の通り、ペットボトルＰの口部Ｐ１に弾性体１及び下部材３が内挿可能に形成されていれば良い。
【００２５】
以上のように構成された本発明の携帯用局部洗浄器Ａは、これを袋等に収納しておけば、コンパクトに携帯でき、以下の要領で使用する。
【００２６】
先ず、本発明の携帯用局部洗浄器Ａを使用する際には、廃棄される空のペットボトルＰを入手し、当該ペットボトルＰ内に水道水や洗浄液等の貯留水Ｗを貯留するか、或いは、飲料可能な貯留水Ｗが貯留して市販されているペットボトルＰを販売店で購入し、そのボトルキャップを取り外したうえで、ペットボトルＰの口部Ｐ１内に縮径状態の弾性体１を座板部２２と共に差し込んで内挿し、口部Ｐ１の上端Ｐ１ａをノズル装置Ｑの下端面Ｑ２に接合する。
【００２７】
次に、操作部３を図中矢印で示すように下方に押し込んで操作すると、操作部３のカム機構２４により、軸部２１が持ち上がり、該軸部２１を介して座板部２２が上方に引き上げられる。
【００２８】
そのため、ノズル装置Ｑの下端面Ｑ２及び座板部２２に挟持された弾性体１は、上下方向から圧縮されるため、拡径方向に膨張しようとするが、この拡径方向はペットボトルＰの口部Ｐ１内壁面に規制されているため、弾性体１が口部Ｐ１の内壁面を押圧して密着し、口部Ｐ１を完全に封止して、ペットボトルＰ内の貯留水Ｗが口部Ｐ１から漏水することを完全に防止できる。
【００２９】
そして、使用者が用便後、ノズル装置Ｑを起動させれば、通水管Ｑ１を通じてノズル装置Ｑの先端からペットボトルＰ内の貯留水Ｗが噴水され、局部を洗浄できるのである。
【００３０】
このように、本発明によれば、操作部３を操作するだけで、ペットボトルＰの口部Ｐ１に内挿された弾性体１が圧縮されて拡径し、前記口部Ｐ１を封止する構造にしているので、前記口部Ｐ１のサイズが異なるペットボトルＰであっても各々のペットボトルＰを前記ノズル装置Ｑに簡単且つ確実に連結でき、しかも、廃棄されるペットボトルＰを再利用できるので、ペットボトルＰによるゴミ問題をも軽減できるのである。
【実施例２】
【００３１】
図３は、拡径手段２の他の実施例を示した要部の分解断面図である。
【００３２】
ここで、図１〜図３と共通する部材には、同一の符号を付して重複する説明を省略し、以下では、本実施例の特徴についてのみ説明する。
【００３３】
すなわち、この拡径手段２は、ノズル装置Ｑに内挿された中空状の軸部２１が、外周にネジ山２３を備えた螺軸であり、この軸部２１を弾性体１に貫通させると共に、軸部２１の下端に、弾性体１と略同径な座板部２２を固定し、該座板部２２とノズル装置Ｑの下端面Ｑ２によって、弾性体１を挟持している。
【００３４】
一方、ノズル装置Ｑ内の軸部２１には、該軸部２１に螺合されるネジ溝３１ａを備えた円板状の操作部３を軸部２１の上方から螺合しており、この操作部３を回転させることにより、軸部２１を上下に移動させる構造にしている。
【００３５】
又、図中Ｑ３は、円板状の操作部３の一部をノズル装置Ｑの外方から回転操作するための開口部を示し、この開口部Ｑ３の外側から指で操作部３を回転できるようにしている。
【００３６】
なお、操作部３の外周側面には、指で滑らないようにローレット加工を施すのが好ましい。
【００３７】
このような拡径手段２を備えた携帯用局部洗浄器Ａでも、前述同様、ペットボトルＰの口部Ｐ１内に縮径状態の弾性体１を座板部２２と共に差し込んで内挿し、口部Ｐ１の上端Ｐ１ａをノズル装置Ｑの下端面Ｑ２に接合させる。
【００３８】
次に、円板状の操作部３を、周方向に向けて左右何れかの方向に回転操作すると、この操作部３のネジ溝３１ａが、軸部２１のネジ山２３に螺合しているため、座板部２２が上方に引き上げられる。
【００３９】
そのため、ノズル装置Ｑの下端面Ｑ２及び座板部２２に挟持された弾性体１は、上下方向から圧縮されるため、拡径方向に膨張しようとするが、この拡径方向はペットボトルＰの口部Ｐ１内壁面に規制されているため、弾性体１が口部Ｐ１の内壁面を押圧して密着し、口部Ｐ１を完全に封止して、ペットボトルＰ内の貯留水Ｗが口部Ｐ１から漏水することを完全に防止できる。
【００４０】
そして、使用者が用便後、ノズル装置Ｑを起動させれば、通水管Ｑ１を通じてノズル装置Ｑの先端からペットボトルＰ内の貯留水Ｗが噴水され、局部を洗浄できるのである。
【００４１】
このように、本発明によれば、操作部３を操作するだけで、ペットボトルＰの口部Ｐ１に内挿された弾性体１が圧縮されて拡径し、前記口部Ｐ１を封止する構造にしているので、前記口部Ｐ１のサイズが異なるペットボトルＰであっても各々のペットボトルＰを前記ノズル装置Ｑに簡単且つ確実に連結でき、しかも、廃棄されるペットボトルＰを再利用できるので、ペットボトルＰによるゴミ問題をも軽減できるのである。
【図面の簡単な説明】
【００４２】
【図１】本発明に係る携帯用局部洗浄器Ａの一実施例を示した全体斜視図である。
【図２】図１の点線部分を拡大した要部の分解断面図である。
【図３】拡径手段２の他の実施例を示した要部の分解断面図である。
【符号の説明】
【００４３】
Ａ    携帯用局部洗浄器
Ｐ    ペットボトル
Ｐ１  口部
Ｑ    ノズル装置
Ｑ１  通水管
Ｗ    貯留水
１    弾性体
２    拡径手段
２１  軸部
３    操作部
【図１】
2008295843.tif 000003
【図２】
2008295843.tif 000004
【図３】
2008295843.tif 000005